(57)【特許請求の範囲】
【請求項１】
基材上に隠蔽情報が形成され、それを覆って透明保護層が設けられており、その透明保護層の上に剥離可能な偽装情報が隠蔽情報と交互に形成され、さらにその偽装情報を覆ってスクラッチ層が形成されており、スクラッチ層を削り取ると偽装情報も一緒に削り取られるようになっていることを特徴とする隠蔽情報担持体。
【請求項２】
偽装情報を隠蔽情報と同色で形成した請求項１に記載の隠蔽情報担持体。
【請求項３】
偽装情報をスクラッチ層と異なる色又は濃度を持たせた色で形成した請求項１に記載の隠蔽情報担持体。
【請求項４】
隠蔽情報と偽装情報を直線上で交互に配置したことを特徴とする請求項１〜３のいずれかに記載の隠蔽情報担持体。
【請求項５】
隠蔽情報と偽装情報を曲線上で交互に配置したことを特徴とする請求項１〜３のいずれかに記載の隠蔽情報担持体。
【発明の詳細な説明】
【０００１】
【発明の属する技術分野】
本発明は、国際電話カード、インターネット接続カード、ネット小額決済カード、宝くじ等に用いられる隠蔽情報担持体であって、特に暗証番号や抽選番号などの機密情報をスクラッチ層で隠蔽した構成の隠蔽情報担持体に関する。
【０００２】
【従来の技術】
従来、この種の隠蔽情報担持体としては、基材上に隠蔽情報を印刷し、その上に隠蔽情報を保護するためのＯＰニスを塗布し、さらにその上にシルクスクリーン印刷にて剥離可能なスクラッチ層を施したものが一般的に利用されている。
【０００３】
【発明が解決しようとする課題】
上記した隠蔽情報担持体では、隠蔽情報が透けて見えるのを防ぐため、剥離可能なスクラッチ層は５〜６μｍ程度の厚さにインクを盛って形成するのが望ましい。ところが、実際にはインク盛り量の管理が難しいという事情がある。そこで、強力な光源により裏面から透けて隠蔽情報が目視可能となるのを防ぐため、裏面に濃い色の絵柄を印刷したものや、或いは隠蔽情報の下に濃い色の下地を印刷したものがあり、さらには下地に模様（地紋）を印刷したものもある。また、隠蔽効果を出すために、例えば金属反射層を挟んだ用紙等の特殊な基材を用いるようにしたものもある。
【０００４】
しかしながら、裏面から透けて目視可能となるのを防ぐために裏面に絵柄を形成するタイプでは、絵柄に濃い色を用いるので、デザインが制限されてしまうといった問題点があり、裏面印刷の工程が増えるといった問題点もある。また、隠蔽情報の下に濃い色の下地や地紋を印刷するタイプでは全体に濃い色になってしまうという問題点がある。また、特殊な基材を用いるタイプではコストが高くつくという問題点がある。
【０００５】
本発明は、これらの問題点の解決を図ろうとするもので、その目的とするところは、スクラッチ層のインキ盛り量の管理負担を軽減でき、特殊な基材を用いる必要もない隠蔽情報担持体を提供することにある。
【０００６】
【課題を解決するための手段】
上記の目的を達成するため、本発明の隠蔽情報担持体は、基材上に隠蔽情報が形成され、それを覆って透明保護層が設けられており、その透明保護層の上に剥離可能な偽装情報が隠蔽情報と交互に形成され、さらにその偽装情報を覆ってスクラッチ層が形成されており、スクラッチ層を削り取ると偽装情報も一緒に削り取られるようになっていることを特徴としている。
【０００７】
【発明の実施の形態】
次に、本発明の実施の形態を図面を参照して説明する。
【０００８】
図１は本発明に係る隠蔽情報担持体の概略を示す断面図である。また、図２（Ａ），（Ｂ）は隠蔽情報担持体をそれぞれ表側と裏側から見た平面図であり、図２（Ｂ）は光をあてて裏側から透けて見える状態で示している。
【０００９】
図１に示すように、隠蔽情報担持体１０は、基材１１上に隠蔽情報１２が形成され、それを覆って透明保護層１３が設けられており、その透明保護層１３の上に剥離可能な偽装情報１４が隠蔽情報１２と交互に形成され、さらにその偽装情報１４を覆ってスクラッチ層１５が形成された構成になっている。図２（Ｂ）において数字の１，２，３，４が隠蔽情報１２であり、数字の５，６，７，８，９が偽装情報１４である。
【００１０】
基材１１としては、特にその素材に限定はなく、汎用のカード用紙やプラスチックシートが用いられる。そして、その基材１１上に印刷又は印字により隠蔽情報１２を形成する。この場合、隠蔽情報１２としては、用途によって種々のものが用いられる。図示のような数字のほかに、例えば、任意の文字、記号、各種パターン等が挙げられる。
【００１１】
透明保護層１３は、隠蔽情報１２の上から基材１１にＯＰニスを塗布することで形成するのがコストの点から好ましい。もちろん、ビニール貼り等の他の方法によって形成してもよい。
【００１２】
偽装情報１４は、隠蔽情報１２と同色のインキを用いてシルクスクリーン印刷により形成するか、スクラッチ層１５と異なる色又は濃度を持たせた色のインキを用いてシルクスクリーン印刷で形成する。或いは、剥離可能に形成できさえすれば、プリンタ等により印字してもよい。そして、スクラッチ層１５は、偽装情報１４を覆うようにしてシルクスクリーン印刷で形成する。
【００１３】
この隠蔽情報担持体１０は、表側から見ると、図２（Ａ）に示すようにスクラッチ層１５が表面に露出し、その下に隠蔽情報１２と偽装情報１４のいずれもが隠れた状態になる。そして、隠蔽情報担持体１０の裏側は、図２（Ｂ）に示すように、光により隠蔽情報１２が透けて目視可能な状況になったとしても、偽装情報１４も隠蔽情報１２と同様に目視可能となり、両方の情報が交錯して見えるため、正確な情報を把握することができない。
【００１４】
隠蔽情報担持体１０のスクラッチ層１５を削り取ると、偽装情報１４も一緒に削り取られ、図３（Ａ）に示すように隠蔽情報１２が見える状態となる。もちろん、光をあてて裏側から透けて見えても、図３（Ｂ）に示すように隠蔽情報１２のみが見えることになる。
【００１５】
なお、隠蔽情報と偽装情報の配置によって隠蔽情報が類推できないようにするため、隠蔽情報と偽装情報は、例えば、直線上か曲線上で交互に配置するのが好ましい。図４（Ａ），（Ｂ）はこのような配置例を示す説明図であり、図中▲１▼〜▲６▼は隠蔽情報を示し、１〜６は偽装情報を示している。
【００１６】
【発明の効果】
以上説明したように、本発明の隠蔽情報担持体は、基材上に隠蔽情報が形成され、それを覆って透明保護層が設けられており、その透明保護層の上に剥離可能な偽装情報が隠蔽情報と交互に形成され、さらにその偽装情報を覆ってスクラッチ層が形成されており、スクラッチ層を削り取ると偽装情報も一緒に削り取られるようになっている構成を採ったことにより、光により隠蔽情報が透けて目視可能な状況になったとしても、偽装情報も隠蔽情報と同様に目視可能となり、両方の情報が交錯して見えるので、正確な情報が判明することがない。したがって、スクラッチ層のインキ盛り量の管理負担を軽減することができる。しかも、使用時には偽装情報をスクラッチ層と一緒に削り取られるので、隠蔽情報のみを目視することができる。また、隠蔽効果を出すために特殊な基材を使用する必要がなく、コストを軽減することができる。
【図面の簡単な説明】
【図１】本発明に係る隠蔽情報担持体の概略を示す断面図である。
【図２】隠蔽情報担持体をそれぞれ表側と裏側から見た平面図である。
【図３】スクラッチ層を削り取った状態の隠蔽情報担持体をそれぞれ表側と裏側から見た平面図である。
【図４】隠蔽情報と偽装情報の配置例を示す説明図である。
【符号の説明】
１０  隠蔽情報担持体
１１  基材
１２  隠蔽情報
１３  透明保護層
１４  偽装情報
１５  スクラッチ層
【図１】
0004240352.tif 000002
【図２】
0004240352.tif 000003
【図３】
0004240352.tif 000004
【図４】
0004240352.tif 000005